(57)【要約】ワイヤレスポータブルコールリクエストエントリキオスク（１４）は、コールを入力し乗客にエレベータの応答を知らせるように、キー（２０，２１）およびディスプレーパネルを有するコントロールパネル（１９）を備える。キオスクは、コールリクエストを配車コントローラ（４８）に伝達するように、キオスクが配置される建物に接続されたワイヤレス通信（４２，５６）を備える。キオスクは、バッテリ（５１）のような充電可能な電源で動作する。センサ（５２）は、通行量が少ないことを判断し、キオスクを低電力消費モードで動作させる。
2009509895.tif 000002
【特許請求の範囲】
【請求項１】
建物（４３）のフロアロビー（２５）において乗客がエレベータサービスの開始の要求を示す手段となるエレベータコールリクエストエントリシステムであって、
コントローラ（４０）および充電可能な電源（５１）を有するワイヤレスポータブルコールエントリキオスク（１４）と、
前記キオスクが配置される前記建物のロビーにおいてエレベータサービスの乗客の要求を登録するように前記キオスク内に配置された手段（２０）と、
前記建物内に固定され、かつこれによって制御されるエレベータ（２６〜２９）と相互に接続された配車コントローラ（４８）と、
エレベータサービスの要求を前記キオスクから前記配車コントローラに通信するワイヤレス伝達手段（４２，４６）と、
を備えるエレベータコールリクエストエントリシステム。
【請求項２】
前記充電可能な電源（５１）を充電するように前記建物（４３）内に固定された充電所（５３，５４）をさらに備えることを特徴とする請求項１に記載のシステム。
【請求項３】
乗客の通行量が少ないことを判断するように前記キオスク内に配置されたセンサ（５２）をさらに備え、
前記コントローラ（４０）が、乗客の通行量が少ないことを示す前記センサに反応して低電力消費モードで前記キオスクを動作させることを特徴とする請求項１に記載のシステム。
【請求項４】
前記ワイヤレス伝達手段（４２，４６）が、イーサネット伝達で実施されることを特徴とする請求項１に記載のシステム。
【請求項５】
乗客の要求を登録する前記手段（２０）が、触覚キースイッチパネルであることを特徴とする請求項１に記載のシステム。
【請求項６】
乗客の要求を登録する前記手段（２０）が、プログラム可能なタッチ反応スクリーンであることを特徴とする請求項１に記載のシステム。
【発明の詳細な説明】
【技術分野】
【０００１】
本発明は、目的階のコールを受けるシステムのような自立型、ワイヤレスかつ移動式のエレベータコールエントリシステムに関する。
【背景技術】
【０００２】
乗客が所望の目的階へのコールを入力するために、テンキーパッド、Ｎ個キーパッドまたはプログラム可能なタッチスクリーンを利用することは一般的である。従来では、コールエントリパネルは、ロビーの領域にある壁に配置されてきた。ごく最近では、コールエントリ装置は、キオスク内に収容されている。
【０００３】
本技術分野で知られるコールエントリシステムでは、所望の目的階コールデータや他のコールデータと通信するための電力を受け、さらに、このような場合に、タッチスクリーンを変更するようにプログラムの指示を受けるために、配線が必要とされている。ある建物、特に優雅な建築的な特徴および歴史的な特徴を備えた建物では、ワイヤコールエントリキオスクをもたらす近代化つまり改装は建物の美観を損ねることなしには困難または不可能である。ワイヤコールエントリキオスクは、建築設計の他の面において障害となることもある。取付作業コストが設備自体のコストを超過する傾向がある。
【発明の開示】
【発明が解決しようとする課題】
【０００４】
エレベータの目的階による配車は、特に、一定の通行量ピーク時に乗客の通行の流れを円滑にするのに非常に効果的である。ピーク時に目的階コールエントリによる配車を利用するか、またはあるピーク時に基本的な配車を増加することが望ましい。この種の柔軟性は、ワイヤコールエントリキオスクまたは他のエントリパネルでは利用できない。
【課題を解決するための手段】
【０００５】
本発明の目的は、建築の美観への影響を最小限にとどめるコールエントリパネルと、ピークの通行量が自然に散発する領域でエレベータコールリクエストエントリパネルを改良して利用することと、一日の様々な時間に、メインフロアロビー、会議フロアロビーやカフェテリアロビーなどのような様々なエレベータロビーでサービスできるエレベータコールリクエストエントリパネルを利用することと、最小限の取付コストを備えたエレベータコールリクエストエントリパネルを提供することと、一日の一時的な殺到に対処するためにレンタルあるいはリースの付加的な器具によって増加可能になるように、十分に柔軟性のあるエレベータコールリクエストエントリパネルを提供することと、改良されたエレベータコールエントリパネルと、を備える。
【０００６】
本発明によると、エレベータコールエントリパネルは、建物の配車コントローラとワイヤレス接続した自立型ポータブルキオスク内に配置される。
【０００７】
本発明によると、本発明のポータブルワイヤレスキオスクは、バッテリのような充電式のポータブル電源によって給電されており、通行量が少なくなったときを判断して器具を低電力モードに変更させる容量性のセンサまたは受動赤外線動作検出器を任意選択的に含んでもよい。
【０００８】
本発明は、従来のＮ個キー、テンキーまたはプログラム可能な触覚つまりタッチスクリーンエントリパネルを利用してもよい。本発明は、目的階を入力するとともに、コールが入力される従来のアクセスカード、ポータブル装置またはＲＦＩＤとともに利用してもよい。さらに、本発明は、乗客を識別し、かつ乗客の所望の目的階コールを入力するために親指の指紋または網膜のスキャン手段のような識別装置とともに使用してもよい。
【０００９】
本発明のワイヤレスポータブルコールリクエストエントリキオスクは、ＬＣＤタッチ反応スクリーンなどのようなプログラム可能なタッチスクリーンを備えてもよい。このような場合、スクリーンの形式は、テンキーエントリ形式からテナントまたはサービスフロアディレクトリエントリ形式に変更されてもよく、所望であれば、本発明の任意の特定の実施例に依存して単純な上／下コールシステムに変更されてもよい。コールの入力手段の種類は、キオスクがワイヤレスで移動式であるという事実に関連する本発明よりも重要ではない。
【００１０】
本発明によると、ワイヤレスポータブルキオスクは、１つのロビーフロア（例えば、メインフロア）から他のロビーフロア（例えば、会議ホールまたはカフェテリア）に必要であれば、移動されてもよい。本発明のワイヤレスポータブルエレベータコールエントリキオスクは、自立型の電源が充電されるようにバッテリ充電所に定期的に収容されてもよい。
【００１１】
本発明は、過度の内部配線によって傷つけられる可能性のある建築的に重要な建物のエレベータシステムを近代化するのに特に有用である。本発明は、複雑な通行量パターンを備える建物に非常に適している。
【００１２】
本発明の他の目的、特徴および利点は、本発明の実施例における以下の詳細な説明および添付の図面を参照することにより、さらに明らかになるであろう。
【発明を実施するための最良の形態】
【００１３】
図１によると、本発明によるワイヤレスポータブルキオスク１４は、このキオスクに安定性をもたらすように設計された基部１５を備える。基部１５は、格納式のローラ（図示せず）を備えるか、または固定式のローラおよび使用時に安定性を与える格納式の脚部を備えてもよい。これは一般的なものであり、本発明を実施するのに適するように選択されてもよい。
【００１４】
キオスクの上方延長部分１８は、身体障害者用キー２１を有するテンキーパッド２０を含むコールエントリパネル１９を備える。キーパッド２０は、従来型であってもよい。即ち、キーパッド２０は、触覚スイッチまたはプログラム可能なタッチスクリーンを用いて実行されてもよい。ディスプレー２４がキーパッドの上側にあり、これは現時点では、コールがエレベータＣによって応答され、乗客がエレベータＣに到達するために左に移動すべきであることを表示している。図２に示されるテンキーエントリパネルの図は、コールモード中であり、ディスプレー２４が乗客に所望の目的階のフロア階数を入力するように知らせている。
【００１５】
図３では、エレベータロビー２５が複数のエレベータ２６〜２９を含み、これらのエレベータの各々は、エレベータに隣接して配置されるエレベータ表示器３２〜３５を備え、これらの表示器は、対応するエレベータの存在または対応する接近中のエレベータの存在を表示するように発光する。図３では、本発明による一対のワイヤレスポータブルキオスク１４ａ、１４ｂは、乗客が２つの方向のいずれからも接近できるように異なる位置に配置されている。
【００１６】
図３と、同様のエレベータロビー２５が乗客の通行量が少ない場合として示される図４と、を比較することで、本発明の主な利点を示す。ここで、キオスク１４ａは中央の位置に移動され、またキオスク１４ｂはこの領域から取り除かれて、他のロビー（会議ホールのロビーまたはカフェテリア）または充電所に配置されている。
【００１７】
図５によると、本発明のワイヤレスポータブルキオスク１４は、一般的に、エントリパネル１９に相互に接続されたマイクロコントローラ４０（および以下に説明され、かつキオスク内に含まれるような他の装置）を備える。コントローラは、コールエントリパネルによって提供された目的階コールデータをワイヤレスブリッジ４２を経由して建物４３内の有線接続の装置に伝達する。この装置は、コール情報を配車コントローラ４８に送るワイヤレストランシーバ４６およびイーサネットスイッチ４７を備えており、配車コントローラ４８がコールを入力し、サービスのためにこのコールを適切なエレベータに割り当てる。
【００１８】
キオスク内の装置は、例えば、バッテリ５１、またはキャパシタもしくはスーパーキャパシタの列からなる充電可能な電源によって給電される。センサ５２は、通行量が少ないときであることをコントローラ４０に指示し、このコントローラが低電力消費モードに装置を切り換え、これにより、バッテリ５１のエネルギまたは他の充電可能な電源を節約する。センサ５２は、受動赤外線センサ、キャパシタンスや他の従来の動作センサや近接センサであってもよい。図６に示すように、本発明によるワイヤレスポータブルキオスク１４は、充電所５４のケーブル５３との相互接続によって充電される。
【００１９】
本発明のコールエントリパネルは、Ｎ個キー、テンキー、プログラム可能なタッチスクリーンまたは他で知られるコールエントリ装置であってもよい。さらに、キオスクは、アクセスカード（磁気カード）、ラジオ周波数識別装置またはＰＣＴ特許出願第ＵＳ０４／２０９５０号明細書にいくらか開示された他の個人カード登録手段と応答してもよい。
【図面の簡単な説明】
【００２０】
【図１】本発明による例示のワイヤレスポータブルキオスクの斜視図である。
【図２】本発明の他の斜視図である。
【図３】エレベータの使用量が多いときに乗客に対応する、本発明の２つのワイヤレスポータブルキオスクを備えたエレベータロビーの斜視図である。
【図４】キオスクの一方が取り除かれ、かつ他方がより中央の位置に配置された同様のエレベータロビーの斜視図である。
【図５】本発明の実施例における主な構成要素を簡素化し、かつ様式化した図である。
【図６】充電所で充電される本発明のワイヤレスポータブルキオスクを簡素化し、かつ様式化した斜視図である。
【図１】
2009509895.tif 000003
【図２】
2009509895.tif 000004
【図３】
2009509895.tif 000005
【図４】
2009509895.tif 000006
【図５】
2009509895.tif 000007
【図６】
2009509895.tif 000008
【国際調査報告】
2009509895.tif 000009